【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
コンピューティング装置において少なくとも一部が実行される、分散型通信システムにおいて会議を開催するための方法であって、
会議に参加するためのリクエストを受信するステップであって、前記リクエストは、前記会議に関連した数字会議識別子を含み、前記数字会議識別子は、
会議リソースに割り当てられた数字識別子と乱数とを組み合わせること、
前記数字識別子の対数のシーリング関数と前記乱数とを付加して数字列を生成すること、
前記数字列の桁を反転すること、但し、最後の桁がゼロの場合は最初と最後の桁はそのままにすること、
前記各桁を、当該桁に当該桁の左側の桁を組み合わせたものに置換すること、但し、前記最初の桁はそのままにすること、および
前記会議に一意的な前記数字会議識別子を導く前記組み合わせをフォーマット化すること
による所定のアルゴリズムの逆論理を使用して、会議スケジュール時間で生成される、ステップと、
前記数字会議識別子を復号化することに基づいて、該リクエストされた会議に関連付けられた前記会議リソースを決定するステップであって、前記会議リソースは、分散型会議リソースアーキテクチャの一部である、ステップと、
強化されたネットワーク通信プロトコルを使用して、該決定された会議リソースに連絡をとるステップと、
該連絡をとった会議リソースから肯定的な応答を受信すると、前記会議を開催するステップと
を含むことを特徴とする方法。
【請求項２】
前記会議の前記数字会議識別子を、前記会議リソースに割り当てられた会議ディレクトリ識別子と会議スケジューリング時間におけるローカル識別子との組み合わせに基づいて符号化するステップと、
前記数字会議識別子を、前記会議に参加するよう招待されたユーザに提供するステップと
をさらに含むことを特徴とする請求項１に記載の方法。
【請求項３】
前記ローカル識別子は、最近使用された識別子と乱数との組み合わせであることを特徴とする請求項２に記載の方法。
【請求項４】
前記会議リソースに割り当てられた会議ディレクトリ識別子と前記ローカル識別子との組み合わせは、所定のアルゴリズムに基づいてフォーマット化されて前記数字会議番号を生成し、前記数字会議識別子は前記リクエストされた会議に一意的である疑似乱数であることを特徴とする請求項３に記載の方法。
【請求項５】
所定の逆アルゴリズムを使用して前記数字会議識別子を復号化するステップをさらに含むことを特徴とする請求項４に記載の方法。
【請求項６】
前記強化されたネットワークの通信プロトコルは、セッション開始プロトコル（ＳＩＰ）であることを特徴とする請求項１に記載の方法。
【請求項７】
前記会議は、音声会議又はビデオ会議を含むことを特徴とする請求項１に記載の方法。
【請求項８】
分散リソースアーキテクチャを有する統合通信（ＵＣ）ネットワーク内において会議を開催する通信システムであって、
セッション開始プロトコル（ＳＩＰ）を使用する前記システムのエンドポイント間の会議開催を含むマルチモデル通信を実行する複数の通信サーバと、
ＳＩＰを使用した前記複数の通信サーバとの通信を実行する仲介サーバと、
非ＵＣネットワークからの通信を受信する会議自動応答（ＣＡＡ）のエンドポイントと
を含み、
前記ＣＡＡのエンドポイントは、非ＵＣネットワークの呼び出し発信者からの会議参加リクエストを受信するよう構成され、前記リクエストは、前記会議に関連した数字会議識別子を含み、
前記数字会議識別子は、
会議リソースに割り当てられた数字識別子と乱数とを組み合わせること、
前記数字識別子の対数のシーリング関数と前記乱数とを付加して数字列を生成すること、
前記数字列の桁を反転すること、但し、最後の桁がゼロの場合は最初と最後の桁はそのままにすること、
前記各桁を、当該桁に当該桁の左側の桁を組み合わせたものに置換すること、但し、前記最初の桁はそのままにすること、および
前記会議に一意的な前記数字会議識別子を導く前記組み合わせをフォーマット化すること
による所定のアルゴリズムの逆論理を使用して、会議スケジュール時間で生成され、
前記ＣＡＡのエンドポイントはさらに、
前記所定のアルゴリズムに従って前記数字会議識別子を復号化することに基づいて前記リクエストされた会議に関連する前記通信サーバを決定し、
該決定された通信サーバと連絡をとり、
該連絡をとった会議リソースから肯定的な応答を受信すると、前記会議を開催するよう構成されることを特徴とする通信システム。
【請求項９】
前記会議自動応答エンドポイントはさらに、
前記サーバが前記リクエストされた会議に関与しないという第１の連絡をとった通信サーバからの通知を受信することに応じて、又は前記第１の連絡をとった通信サーバが応答しないという通知を受信することに応じて、他の通信サーバと連絡をとることを特徴とする請求項８に記載の通信システム。
【請求項１０】
前記数字会議識別子は、当該数字の一意性によりユーザの信頼度を増大する疑似乱数であり、
前記数字会議識別子の最初の桁はゼロではなく、
同じ通信サーバによって管理される複数の会議には、関連しないように見える数字会議識別子が割り当てられることを特徴とする請求項９に記載の通信システム。
【請求項１１】
分散リソースアーキテクチャを有する統合通信（ＵＣ）ネットワーク内において会議を開催するための方法を実行するための命令を格納したコンピュータ可読記憶媒体であって、前記方法は、
予定された会議に関与する会議リソースに割り当てられた会議ディレクトリ識別子とローカル識別子との組み合わせに基づいて、所定のアルゴリズムを使用して前記予定された会議のための数字会議識別子を符号化するステップであって、
前記会議に一意的な前記数字会議識別子を導く前記組み合わせをフォーマット化すること、
前記数字識別子の対数のシーリング関数と前記乱数とを付加して数字列を生成すること、
前記数字列の桁を反転すること、但し、最後の桁がゼロの場合は最初と最後の桁はそのままにすること、および
前記各桁を、当該桁に当該桁の左側の桁を組み合わせたものに置換し、但し、前記最初の桁はそのままにすること
により前記数字会議識別子を符号化するステップと、
非ＵＣネットワークの呼び出し発信者から前記予定された会議に参加するためのリクエストを受信するステップであって、前記リクエストは前記会議に関連した前記数字会議識別子を含む、ステップと、
前記所定のアルゴリズムの逆を使用して前記数字会議識別子を復号化することに基づいて、前記リクエストされた会議に関連する前記会議リソースのＳＩＰ  ＵＲＩを決定するステップと、
該決定された会議リソースと連絡をとるステップと、
該連絡をとった会議リソースから肯定的な応答を受信すると、前記会議を開催するステップと
を含むことを特徴とするコンピュータ可読記憶媒体。
【請求項１２】
前記予定された会議に参加するためのリクエストは、前記数字会議識別子を復号化する前に会議自動応答エンドポイントにおいて受信されて有効化されることを特徴とする請求項１１に記載のコンピュータ可読記憶媒体。
【請求項１３】
前記数字会議識別子は前記予定された会議に対して一意的な数字であり、その第１の桁はゼロではなく、同じ会議リソースに繋がっている複数の会議には互いに関連していないように見える数字会議識別子が割り当てられることを特徴とする請求項１１に記載のコンピュータ可読記憶媒体。